(57)【特許請求の範囲】
【請求項１】
被検眼を片眼ずつ検査する検査部を搭載する移動台を基台に対して被検眼の左右方向に移動して検査する眼科装置において、前記基台の上面対向するように前記移動台に設けられた磁気センサと、前記基台の上面に表れないように基台内部又は底部に設けられた磁気発生手段であって、被検眼の片方を検眼するために前記移動台を移動したときの前記磁気センサの相対的な移動範囲に対応させて配置された磁気発生手段とを備え、前記磁気センサの出力を被検眼の左右検出に使用する構成としたことを特徴とする眼科装置。
【発明の詳細な説明】
【０００１】
【発明の属する技術分野】
本発明は、被検眼の左右を検出することのできる眼科装置に関する。
【０００２】
【従来技術】
被検眼眼底を撮影する眼底カメラや眼屈折力測定装置等、被検眼を片眼ずつ検査する検眼部を基台に対して左右方向に移動して検査する眼科装置においては、被検眼の左右を検出する機構を有しているものが知られている。従来、左右眼の検出機構はフォトセンサと反射板を利用して光学的に行うもの、検眼部の移動にて行われるマイクロスイッチの入力のオン／オフやポテンショメータの駆動量にて左右眼の検出を行うものが知られている。
【０００３】
【発明が解決しようとする課題】
しかしながら、スリットランプ等の従来左右眼検出を必要としない眼科装置に、新たに左右眼検出機構を設けようとする場合、光学的に検出を行うためには大幅な設計変更が必要となってしまう。また、マイクロスイッチやポテンショメータ等を使用した接触式の検出機構では構成要素が多くなるとともに、耐久性に問題が残る。
上記従来技術の問題点に鑑み、簡単な機構で非接触式にて被検眼の左右を検出することのできる眼科装置を提供することを技術課題とする。
【０００４】
【課題を解決するための手段】
上記課題を解決するために、本発明は以下のような構成を備えることを特徴とする。
（１）  被検眼を片眼ずつ検査する検査部を搭載する移動台を基台に対して被検眼の左右方向に移動して検査する眼科装置において、前記基台の上面対向するように前記移動台に設けられた磁気センサと、前記基台の上面に表れないように基台内部又は底部に設けられた磁気発生手段であって、被検眼の片方を検眼するために前記移動台を移動したときの前記磁気センサの相対的な移動範囲に対応させて配置された磁気発生手段とを備え、前記磁気センサの出力を被検眼の左右検出に使用する構成としたことを特徴とする。
【０００５】
【発明の実施の形態】
以下、本発明の実施の形態を図面に基づいて説明する。図１は本実施形態で使用するスリットランプを検者（術者）側から見た図である。本実施の形態で使用するスリットランプは被検眼を撮影し、その画像データをパーソナルコンピュータ等の外部記憶装置に送信する機能を備えたものである。
【０００６】
１はスリットランプ本体である。スリットランプ本体１は、照明部１０及び顕微鏡部２０からなる検眼部を、基台３に対して前後左右に移動させるための移動部（移動台）２を有している。４は基台３の上面より上側に設けられた軸部であり、移動部２内を挿通している。このため移動部２は軸部４にガイドされて紙面左右方向に摺動可能となっている。また、軸部４の両端には図示なき車輪が取り付けられており、基台３上に設置されている図示なきレール上を前後方向（紙面鉛直方向）に移動可能となっている。５はレールカバーであり、基台３上を紙面鉛直方向に延びるレールを覆っている。軸部４の車輪はレールカバー５によってレールから外れないようになっている。
【０００７】
６は移動部２に設けられているジョイスティックである。ジョイスティック６を使用することによって、上述した移動機構を有する移動部２を基台３の面上で前後左右に粗動及び微動させることができる。また、頂部に設けられているスイッチ６ａによって被検眼の撮影が可能である。スリットランプの移動機構については既存の移動機構を用いているため、さらなる詳細な説明は割愛する。
【０００８】
基台３には被検者（患者）を固定するための顎載せ台、額当て等を備えるヘッドレスト３０が取り付けられている。ヘッドレスト３０は基台３の左右方向の略中央に設けられており、移動部２を基台３の中央より左側又は右側に移動することにより、被検眼を片眼ずつ検査する。７は電源ボックス、８は被検眼像を画像データとして図４に示すパーソナルコンピュータ（以下、ＰＣと記す）６５に取り込む際に、被検眼の左右情報をＰＣ６５側に送信するためのケーブルである。
【０００９】
１０は被検眼（患者眼）へ照明光を照射するための照明部であり、内部には後述する各種光学部材が備わっている。２０は被検眼を観察するための顕微鏡部であり、その内部には後述するＣＣＤカメラ６４等を持つ観察光学系が配置されている。２２は図４に示すＰＣ６５に被検眼像を送信するためのケーブルである。
【００１０】
図２は左右眼の検出を行うための構成を説明するための断面図である。ここでは左右眼の検出に直接関係のない構成要素は省略している。
４０は磁気発生手段となるシート状の磁石、４１は移動部２の下部中央に設置され、磁石４０から発せられる磁気を検出する磁気センサである。磁石４０は基台３を２等分割する中心軸Ｌ（検者側を正面としている）より左側の基台底面に設けられた凹部３ａに貼り付けられている。このため磁石４０は基台３の上面に表れずに外観上見えないようになっている。したがって、スリットランプのように左右方向の移動に必要な範囲に対して移動部２の幅が十分に狭いものであっても、基台３の上面からは磁石４０が見えないため、外観上見苦しいこともない。なお、磁石４０は基台３の底面に設けられた凹部３ａに設置されるものとしているが、これに限るものではなく、基台３の内部に埋埴するようにしてもよい。
【００１１】
また、磁石４０のシートの大きさ（面積）は、被検者の右眼を観察するために本体１を移動させたとき、移動部２の下部に設けられた磁気センサ４１にて磁気を検出できるだけの大きさを有している。また、磁石４０はＳ極が上側（基台上面側）となるように貼り付けられている。磁気センサ４１は図３に示すようにＳ極側の磁気を検出するとLowレベルの出力信号を発し、Ｎ極側及び磁気を検出しない場合には、Highレベルの出力信号を発するような特性のものを使用している。なお、本実施の形態ではＳ極を検出する磁気センサを使用するものとしているが、これに限るものではなく、Ｎ極を検出する磁気センサを用いることもできる。この場合には磁石４０のＮ極を上側にしておけばよい。
【００１２】
次に、スリットランプ１内部の光学系を図４に示し説明する。図４において、照明部１０内部には照明光源５０が備えられ、照明光源５０より出射した可視光束はコンデンサレンズ５１を透過した後、可変アパーチャ５２により高さを、可変スリット板５３により幅を決定され、スリット状の光束に形成される。可変スリット板５３を通過したスリット照明光は投影レンズ５４を介した後、プリズムミラー５５で反射されて被検者眼Ｅを照明する。
【００１３】
顕微鏡部２０の内部には左右の観察光路で共用される対物レンズ５６と、左右の各光路に配置された変倍レンズ群５７、結像レンズ５８、正立プリズム５９、視野絞り６０、接眼レンズ６１を備える。また、左右の観察光路のどちらか一方に設置される変倍レンズ群５７と結像レンズ５８との間にはビームスプリッタ６２が配置されている。ビームスプリッタ６２にて上方に反射される光束は結像レンズ６３を経て、視野絞り６０と共役な位置に置かれるＣＣＤカメラ６４にて受光され、ＣＣＤカメラ６４により被検眼の前眼部像等が撮像される。ＣＣＤカメラ６４にて撮像された被検眼像はケーブル２２を経て、ＰＣ６５に常時送られている。
【００１４】
以上のような構成を備えるスリットランプにおいて、図５に各種の信号流れを示すブロック図を示し、その動作を説明する。
被検者の顔をヘッドレスト３０に保持させ、ジョイスティック６を使用して図４に示す観察光軸Ｌ１を被検眼に合わせるように本体１を移動させる。このとき被検眼の右眼を観察する場合には、移動部２は磁石４０が設置されている基台場所まで移動することとなる。磁石４０が設置されている場所まで移動部２が移動すると、磁気センサ４１は磁石４０の磁気を検出することとなる。磁気センサ４０によって磁石４０の磁気が検出されている間は、磁気センサ４１からはLowレベルの信号がケーブル８を介してＰＣ６５へ常時出力されることとなる。
【００１５】
ジョイスティック６に設けられたスイッチ６ａを押すと、その信号はケーブル８を介してＰＣ６５へ送信される。ＰＣ６５にてスイッチ６ａからの信号を受け取ると、ＰＣ６５はケーブル８から送信されてくるLowレベルの信号に基づいて、右眼である旨の情報をＣＣＤカメラ６４から送られてくる画像データに付与し、ハードディスク内に記憶させる。
【００１６】
また、ジョイスティック６を使用して移動部２を移動させ、被検眼の左眼を観察している場合には、磁気センサ４１は磁石４０の磁気を検出しない。このとき磁気センサ４１はHighレベルの信号をＰＣ６５へ送信することとなる。スイッチ６ａが押されると、ＰＣ６５側はケーブル８から送信されてくるHighレベルの信号に基づいて、左眼である旨の情報をＣＣＤカメラ６４から送られてくる画像データに付与し、ハードディスク内に記憶させる。
【００１７】
このようにＰＣ６５では、ＰＣ６５側にて受け取っている磁気センサ４１からの信号を基に左右眼の判別をし、スイッチ６ａが押された時点において、被検眼の画像データを静止画像として記憶すると共にその記憶画像データに左右眼を示すための情報を付与する。
【００１８】
以上の実施の形態では、基台３側に磁石４０を、本体側に磁気センサ４１を設けるものとしたが、これに限るものではない。反対に基台３側に磁気センサ４１を、本体１下部（移動部２の下部）に磁石４０を設けるようにしてもよい。
【００１９】
また、本実施の形態では基台３の左側に磁石４０を設置しているが、これに限るものではなく、右側に設置されていてもよい。この場合には、被検眼の左眼に対して装置本体１を合わせたときに磁気センサ４１からLowレベルの信号が発信することとなる。
【００２０】
さらに、本実施の形態ではスリットランプを例に取って説明したが、これに限るものではない。例えば他覚式眼屈折力測定装置、眼底カメラや非接触式の眼圧計等、左右の被検眼を各々測定するための眼科装置にも適用することができる。
【００２１】
【発明の効果】
以上のように、本発明では磁気発生手段と磁気センサとを用いることにより、簡単な機構で非接触式にて被検眼の左右を検出することができる。
【図面の簡単な説明】
【図１】スリットランプの外観を示した図である。
【図２】検者側から見たときの左右眼検知機構を示した部分断面図である。
【図３】磁気センサの特性を示した図である。
【図４】スリットランプの光学系を示した図である。
【図５】スリットランプから出力される信号の流れを示したブロック図である。
【符号の説明】
１  スリットランプ本体
２  移動部
３  基台
３ａ  凹部
４  軸部
８  ケーブル
２２  ケーブル
４０  磁石
４１  磁気センサ
６４  ＣＣＤカメラ
６５  パーソナルコンピュータ
【図１】
0003805663.tif 000002
【図２】
0003805663.tif 000003
【図３】
0003805663.tif 000004
【図４】
0003805663.tif 000005
【図５】
0003805663.tif 000006